(57)【要約】【課題】寿命予測のための動作時間積算手段を有した交換部品により構成されるプリンタにおいて、各部品の動作時間情報を一元的に管理し、もし動作時間積算手段に誤データが書き込まれた場合には、該データをユーザーにより正常値に書き換えることを可能とする。【解決手段】画像コントローラ、エンジンコントローラ、現像ドラム等の交換部品、夫々にプリントカウンタを有し、全てプリントカウンタ値をステータスプリント上に表示可能とする手段を有す。またパネル及びホストＰＣからのコマンドにより、任意のプリントカウンタ値を変更できる書換手段を有する。動作時間情報としてプリントカウント値のみならず、ハードディスク等のメカユニットは通電時間を計測して、故障予測情報として活用する手段を有す。【選択図】　　　　図１
2004009435.tif 000002
【特許請求の範囲】
【請求項１】
ホストコンピュータからの印刷データを多色印刷可能なカラーレーザビームプリンタに代表される高品位多色印刷装置であり、特に、
印刷機構を制御する印刷部制御手段、
印刷画像を生成する画像生成部制御手段、
メンテナンスが容易なように現像部、トナーをカートリッジ化した現像ドラムカートリッジに大別された手段から構成されるものであって、
交換可能な印刷装置構成要素の主要要素夫々にプリント枚数或いは通電時間などの動作時間情報を保持できる不揮発性記憶素子を有し、各記憶素子の内容である各要素動作時間情報をテストプリントにより印刷表示可能な機能を有することを特長とする多色印刷装置。
【請求項２】
前記印刷装置は、特に前記各主要要素動作時間記憶素子の記憶情報をプリンタオペレーションパネルまたはホストコンピュータからの命令により、ユーザーあるいはサービスマンが任意に修正可能な機能を有することを特長とする多色印刷装置。
【発明の詳細な説明】
【０００１】
【発明の属する技術分野】
本発明は、双方向インターフェースを介してホストコンピュータに接続されるレーザビームプリンタ等の出力装置に関する。
【０００２】
【従来の技術】
多値印刷が可能なカラーレーザビームプリンタは、従来のモノクロレーザビームプリンタに比べ、そのペーパーボリュームの増加と印刷機構の複雑さとから、消耗品として設定される交換部品の品種が増え、本体寿命と各交換部品の寿命の差が大きなものとなってきており、より頻繁に部品交換を行うことが予想される。
【０００３】
これにより、主要部品であり印刷の要である現像ドラムカートリッジにもプリントカウンタを設け、交換寿命に近づくと、それをオペレーションパネル上にメッセージで表し、ユーザーに部品交換を促す機能を持ったカラーレーザプリンタが発売されている。
【０００４】
【発明が解決しようとする課題】
しかしながら、各交換部品毎にプリント枚数（即ち動作時間）が記録されるようになっても、各記録素子が正常に動作していることをユーザーが随時確認できる機能は従来のプリンタには存在しなかった。もし、記録素子の潜在不良や内外からの突発的なノイズにより、プリント枚数情報が書き換えられた場合、良品なのに使用過多品と印刷装置に認識させて、誤動作を招く危険が否定できない。
【０００５】
本発明は、上記の問題点を解決するためになされたもので、印刷装置の各部品に設けられた保存手段の動作時間情報をテストプリントにより、全情報を一元的に表示可能な機能を有し、一部の部品の動作時間情報に不正な値が保持されていた場合は、ユーザが任意に該不正情報を訂正出来る手段をもうけるものである。
【０００６】
【課題を解決するための手段】
上記目的を達成するため本発明の印刷装置は以下に示す構成を備える。
即ち、印刷装置において印刷装置印刷部制御手段の動作時間保持手段、印刷装置画像生成部制御手段の動作時間保持手段各種交換部品の動作時間保持手段、各動作時間保持手段の記憶情報を全てテストプリントに印刷可能な読み込み手段、各動作時間保持手段の内容を任意に書換え可能な書換え手段を有することにより、交換部品の動作時間情報を一元管理し、規格寿命に達していなくても、動作時間保持手段の誤動作により、使用不能となってしまった交換部品を再度使用可能にすることが出来る。
【０００７】
【発明の実施の形態】
本実施形態の構成を説明する前に、本実施形態を適用するに好適なカラーレーザビームプリンタの構成について図３、図４を参照しながら説明する。なお、本実施形態を適用するプリンタは、カラーレーザビームプリンタに限られるものではなく、ＬＥＤプリンタ等の他のプリント方式のプリンタでも良いことは言うまでもない。
【０００８】
図３は本発明を適用可能な第１の出力装置の構成を示す断面図であり、カラーレーザビームプリンタ（ＣＬＰ）の場合を示す。
【０００９】
図において、１６００はＣＬＰ本体であり、外部ホストコンピュータ３０００から送られる、プリンタ言語で記述されたコードデータやイメージデータを受け、これらのデータに基づいて１ページ分のマゼンタ、シアン、イエロー、ブラックの多値画像データを生成するコントローラ１０００（以下、単に「コントローラ」と記すことがある）と、入力多値画像データに応じて変調したレーザビームを感光ドラム上に走査することにより潜像を形成し、これを記録紙に転写した後定着させるという一連の電子写真プロセスによる記録を行なうプリンタエンジン１５００（以下エンジン）から構成される。１５３０は操作のためのスイッチおよびＬＣＤ表示器等が配されている操作パネルである。
【００１０】
コントローラ１０００とプリンタエンジン１５００はインタフエース信号線１２００によって接続されている。主なインタフエース信号として、／ＲＤＹ，／ＰＲＮＴ，／ＴＯＰ，／ＬＳＹＮＣ、ＶＤＯ７〜ＶＤＯ０、ＶＣＬＫがあり、以下これについて簡単に説明する。
【００１１】
／ＲＤＹ信号は、コントローラに対してエンジンから送出される信号であって、エンジンが後述する／ＰＲＲＮＴ信号を受ければいつでもプリント動作を開始できる状態、またはプリント動作を継続できる状態にあることを示す信号である。／ＰＲＮＴ信号は、エンジンに対してコントローラから送出される信号であって、プリント動作の開始、またはプリント動作の継続を指示する信号である。
【００１２】
／ＴＯＰ信号は、副走査（垂直走査）方向の同期信号であって、コントローラに対してエンジンから送出される。
【００１３】
／ＬＳＹＮＣ信号は、主走査（水平走査）方向の同期信号であって、コントローラに対してエンジンから送出される。ＶＤＯ７〜ＶＤＯ０信号は、エンジンに対してコントローラから送出される画像信号であって、エンジンが印字すべき画像濃度情報を示す。ＶＤＯ７が最上位、ＶＤＯ０が最下位の８ビットで表わされる。エンジンでは、ＶＤＯ７〜ＶＤＯ０信号がＦＦＨで現像中のトナー色の最大濃度で印字し、００Ｈで印字しない。これらは転送同期信号ＶＣＬＫに同期して送出される。次に図３及び図４を用いてプリンタエンジン１５００における動作を説明する。プリンタエンジン１５００はプリンタコントローラ１０００から／ＰＲＮＴ信号を受け取ると、不図示の駆動手段により、感光ドラム１５０６及び転写ドラム１５０８を図示矢印方向に回転させる。続いて、ローラ帯電器１５０９の帯電を開始し、感光ドラム１５０６上の電位を所定の値に均一に帯電する。次に、給紙ローラ１５１１によって、記録用紙カセット１５１０から記録用紙１５２８を転写ドラム１５０８に給紙する。転写ドラム１５０８は、中空の支持体上に誘電体シートを張ったもので、感光ドラム１５０６と同速で矢印方向に回転する。この転写ドラム１５０８に記録用紙１５２８が供給されると、転写ドラムの支持体上に設けられたグリッパ１５１２によって記録用紙１５２８が保持され、吸着ローラ１５１３及び吸着用帯電器１５１４により記録用紙１５２８を転写ドラム１５０８に吸着させる。同時に、現像装置の支持体１５１５を回転させて、支持体１５１５に支持された４つの現像装置１５１６Ｍ、１５１６Ｃ、１５１６Ｙ、１５１６Ｂｋのうち、第１のトナーであるマゼンタのトナーが入った現像装置１５１６Ｍを感光ドラム１５０６に対向させる。なお、１５１６Ｃはシアンのトナーが入った現像装置、１５１６Ｙはイエローのトナーが入った現像装置、１５１６Ｂｋはブラックのトナーが入った現像装置である。
【００１４】
一方、プリンタエンジン１５００は、転写ドラム１５０６に吸着された記録用紙１５２８の先端を検出器１５１７によって検出し、所定のタイミングで垂直同期信号／ＴＯＰを発生してコントローラ１０００に送出する。コントローラ１０００は印字ページに対する最初の／ＴＯＰ信号を受け取ると、ＲＡＭ１９内のページメモリに格納されている画像データのうち、第１の印字色であるマゼンタのデータを所定のタイミングで読み出す。読み出された８ビットの画像データＤ７〜Ｄ０は、画像信号ＶＤＯ７〜ＶＤＯ０としてＶＣＬＫ信号に同期してプリンタエンジンに送出される。
【００１５】
コントローラより出力されたＶＤＯ７〜ＶＤＯ０信号は図４に示すようにパルス幅変調回路１５０１に入力され、レベルに応じたパルス幅（２５６段階）のレーザ駆動信号ＶＤＯとなり、レーザドライバに送出される。後述する現像時において、レーザ駆動信号ＶＤＯのパルス幅に応じてトナーの付着量が調節でき、それにより、各色２５６階調の濃淡が再現される。次に、図４において前記レーザ駆動信号ＶＤＯに応じて駆動されるレーザダイオード１５０３からのレーザビーム１５２７は不図示のモータにより矢印方向に回転駆動される回転多面鏡１５０４で偏向され、光路上に配置された結像レンズ１５０５を経て、感光ドラム１５０６上を主走査方向に走査し、感光ドラム１５０６上に潜像を形成する。このとき、ビームディテクタ１５０７はレーザビームの走査開始点を検出し、この検出信号から主走査の画像書き出しタイミングを決定するための水平同期信号である／ＬＳＹＮＣ信号が生成される。
【００１６】
以上述べた主走査の動作が繰り返されて１ページ分のマゼンタの潜像が感光ドラム１５０６上に形成されていく。
【００１７】
図３に戻り、感光ドラム１５０６上に形成された潜像は上記マゼンタのトナーが入った現像装置１５１６Ｍによって現像され、マゼンタのトナー像となる。
【００１８】
このマゼンタのトナー像は、転写用帯電器１５１９により、回転する転写ローラ１５０８に吸着されている記録用紙１５２８に転写される。この際、転写されずに感光ドラム１５０６上に残ったトナーはクリーニング装置１５２５によって除去される。以上の動作により、記録用紙１５２８上に１ページ分のマゼンタのトナー像が形成される。
【００１９】
次に、現像装置の支持体１５１５を回転させて、第２のトナーであるシアンのトナーが入った現像装置１５１６Ｃを感光ドラム１５０６に対向させる。続いて、マゼンタのときと同様に、転写ローラ１５０８に吸着されたまま回転する記録用紙１５２８の先端を検出器１５１７で検出し、垂直同期信号／ＴＯＰを発生してコントローラ１０００に送出する。これを受けてコントローラ１０００はページメモリ１９からシアンのデータを読み出す。以下、同様の動作により、記録用紙１５２８上にはマゼンタのトナー像に重ねてシアンのトナー像が転写される。
【００２０】
更に、同様にして第３のトナーであるイエロー、第４のトナーであるブラックのトナー像が記録用紙１５２８上に重ねて転写され、フルカラーのトナー像となる。
【００２１】
上記４色のトナー像が全て転写された記録用紙１５２８は、分離帯電器１５２０を経て、分離爪１５２１によって転写ドラム１５０８から剥がされ、搬送手段１５２２により定着装置１５２３に供給される。また、このとき、転写ドラムクリーナ１５２６によって転写ドラム表面の清掃が行なわれる。
【００２２】
記録用紙上のトナー像は定着装置１５２３で加熱、加圧されることによって熔融固着され、最終的なカラー出力画像となる。そして記録の終了した記録用紙は排紙トレイ１５２４に排紙される。
【００２３】
図５において、３０００はホストコンピュータで、２０００はホストコンピュータ制御ユニットである。ホストコンピュータ制御ユニット２０００ではＲＯＭ２００３のプログラム用ＲＯＭに記憶された文書処理プログラム等に基づいて図形，イメージ，文字，表（表計算等を含む）等が混在した文書処理を実行するＣＰＵ２００１を備え、システムバス２００４に接続される各デバイスをＣＰＵ２００１が総括的に制御する。
【００２４】
また、このＲＯＭ２００３のプログラム用ＲＯにはＣＰＵ２００１の制御プログラム等を記憶し、ＲＯＭ２００３のフォント用ＲＯＭには上記文書処理の際に使用するフォントデータ等を記憶し、ＲＯＭ２００３のデータ用ＲＯＭは上記文書処理等を行う際に使用する各種データ（例えば、オーバレイフォームデータ、背景イメージデータ、外字）を記憶する。２００２はＲＡＭで、ＣＰＵ２００１の主メモリ，ワークエリア等として機能する。２００５はキーボードコントローラ（ＫＢＣ）で、キーボード３００１や不図示のポインティングデバイスからのキー入力を制御する。２００６はＣＲＴコントローラ（ＣＲＴＣ）で、ＣＲＴディスプレイ（ＣＲＴ）３００２の表示を制御する。２００７はディスクコントローラ（ＤＫＣ）で、ブートプログラム，種々のアプリケーション，フォントデータ，ユーザファイル，編集ファイル等を記憶するハードディスク（ＨＤ）、フロッピー（Ｒ）ディスク（ＦＤ）等の外部メモリ３００３とのアクセスを制御する。２００８はプリンタコントローラ（ＰＲＴＣ）で、所定の双方向性インタフェース（インタフェース）２００９を介してプリンタ１５００に接続されて、プリンタ１５００との通信制御処理を実行する。
【００２５】
なお、ＣＰＵ２００１は、例えばＲＡＭ２００上に設定された表示情報ＲＡＭへのアウトラインフォントの展開（ラスタライズ）処理を実行し、ＣＲＴ３００２上でのＷＹＳＩＷＹＧを可能としている。また、ＣＰＵ２００１は、ＣＲＴ３００２上の不図示のマウスカーソル等で指示されたコマンドに基づいて登録された種々のウィンドウを開き、種々のデータ処理を実行する。
【００２６】
図６は本発明の実施形態を示すプリンタ制御システム１０００の構成を説明するブロック図である。なお、本発明の機能が実行されるのであれば、単体の機器であっても、複数の機器からなるシステムであっても、ＬＡＮ等のネットワークを介して処理が行われるシステムであっても本発明を適用できることは言うまでもない。
【００２７】
プリンタ１５００において、１００１はプリンタＣＰＵで、ＲＯＭｌ００３のプログラム用ＲＯＭに記憶された制御プログラム等或いは拡張用ＲＯＭモジュール１００４に記憶された制御プログラム等に基づいてシステムバス１００５に接続される各種のデバイスとのアクセスを総括的に制御し、印刷部インタフェース１００６を介して接続される印刷部（プリンタエンジン）１００７に出力情報としての画像信号を出力する。また、このＲＯＭｌ００３のプログラムＲＯＭには、ＣＰＵｌ００ｌの制御プログラム等を記憶する。ＲＯＭｌ００３のフォント用ＲＯＭには上記出力情報を生成する際に使用するフォントデータ等を記憶し、ＲＯＭｌ００３のデータ用ＲＯＭには、ホストコンピュータ上で利用されるオーバレイフォーム、外字情報等を記憶している。
【００２８】
ＣＰＵｌ００ｌは入力部１００８を介してホストコンピュータとの通信処理が可能となっており、プリンタ内の情報等をホストコンピュータ２０００に通知可能に構成されている。１００２はＣＰＵｌ００ｌの主メモリ、ワークエリア、ページメモリ等として機能するＲＡＭで、図示しない増設ボートに接続される拡張用ＲＡＭモジュールによりメモリ容量を拡張することができるように構成されている。なお、ＲＡＭｌ００２は、出力情報展開領域、環境データ格納領域等に用いられる。前述したＩＣカード等の拡張用ＲＯＭモジュール１００４は、メモリコントローラ（ＭＣ）１００９によりアクセスを制御される。拡張用ＲＯＭモジュール１００４は、オプションとして接続され、フォントデータ、エミュレーションプログラム、フォームデータ等を記憶する。１０１０は画像生成部でＣＰＵｌ００ｌが演算により印刷データを生成するのを補助するハードウェアである。印刷データの拡大縮小、回転、色変換、重ね合わせなどを論理回路により高速処理する機能を持つ。また、１５３０は前述した操作部で操作のためのスイッチおよびＬＣＤ表示器等が配されている。
【００２９】
また、前述した拡張用モジュールは１個に限らず、少なくとも１個以上備え、内蔵フォントに加えてオプションフォントカード，言語系の異なるプリンタ制御言語を解釈するプログラムを格納した外部メモリを複数接続できるように構成されていても良い。さらに、図示しないＮＶＲＡＭを有し、操作パネル１５０１からのプリンタモード設定情報を記憶するようにしても良い。
【００３０】
本発明は、これらのユニットから構成されたプリントシステムにおいて、印刷画質を保証するための濃度調整処理の実行タイミングをユーザーが任意に設定できる機能を実現するものである。
【００３１】
以下に各実施形態についての詳細を述べる。
【００３２】
（第一実施形態）
図１に本発明の第一実施形態である印刷システムのブロック図を示す。図中既に従来例にて説明してあるブロックには同一の番号を付加しているので説明を省略する。
【００３３】
１は本実施形態を施したカラーレーザビームプリンタで画像生成部２と印刷部３から構成される。
【００３４】
画像生成部内にはホストコンピュータ３０００からの印刷データ１０１を基にレーザビームの照射量の大小で印刷画像を表現する印刷画像データ１０４を生成する画像生成部制御手段４がある。画像生成部制御手段の構成要素は前出のコントローラ１０００と同一である。さらに画像生成部制御手段４の動作時間情報としてのプリント枚数を保持する不揮発性メモリからなるプリントカウンタ５がある。
【００３５】
印刷部内には印刷機構の制御全般を司る印刷部制御手段６、印刷部制御手段６の動作時間情報としてのプリント枚数を保持する不揮発性メモリからなるプリントカウンタ７、トナーカートリッジ１５１５、現像ドラムカートリッジ８を有する。更に図３、図４で説明した各部品も存在するがここでは割愛する。また現像ドラムカートリッジ８内には、ドラムカートリッジの動作時間情報としてのプリント枚数を保持する不揮発性メモリからなるプリンタカウンタ９がある。
【００３６】
以下、図１により本発明における処理の流れについて説明する。
【００３７】
パネル１５３０またはホストＰＣ３０００からのコマンドにより印刷装置１の設定値情報を出力する“Ｓｔａｔｕｓ　Ｐｒｉｎｔ”を印刷すると、そこには画像生成部２を交換してからこれまでにプリントアウトした枚数“画像コントローラＰａｐｅｒ　Ｃｏｕｎｔ”，印刷装置１を開梱してからこれまでにプリントアウトした枚数“印刷部コントローラＰａｐｅｒ　Ｃｏｕｎｔ”，現像ドラムカートリッジ８を交換してからこれまでにプリントアウトした枚数“現像ドラムＰａｐｅｒ　Ｃｏｕｎｔ”，が印刷される。
【００３８】
ユーザまたはサービスマンはそれを見て、規定寿命（交換時期）までの到達時間を予測できる。
【００３９】
また、印刷装置の設置環境、内部からの規格外のノイズによりプリンタカウンタの値がデータ化けした場合にも、ユーザまたはサービスマンは該誤動作を認識することが出来る。この時、ユーザまたはサービスマンはパネル１５３０またはホストＰＣ３０００からプリントカウンタ書換えコマンド１０３または１０２により、各手段内にあるプリントカウンタ５、７、９の格納データを任意に書き換えて、正常な値に戻すことが出来る。
【００４０】
（第二実施形態）
図２に本発明の第二実施形態である印刷システムのブロック図を示す。図中既に従来例にて説明してあるブロックには同一の番号を付加しているので説明を省略する。
【００４１】
２１は本実施形態を施したカラーレーザビームプリンタで画像生成部２２と印刷部３から構成される。
【００４２】
画像生成部内にはホストコンピュータ３０００からの印刷データ１０１を基にレーザビームの照射量の大小で印刷画像を表現する印刷データ１０４を生成する画像生成部制御手段２３、画像生成部制御手段２３の動作時間情報としてのプリント枚数を保持する不揮発性メモリからなるプリントカウンタ５、さらにプリンタデータスプール、フォントキャッシュ等の機能を実現し、印刷装置の高機能化を図るハードディスク２４がある。ハードディスク２４は画像生成部制御手段２４により、必要に応じてｐｏｗｅｒ＿ＯＮコマンド２０１を発行されて、動作可能状態になり、不用の場合はハードディスク２４の電源は遮断することが出来る。
【００４３】
２５はタイマーと不揮発性メモリからなるＨＤＤ動作時間測定手段であり、ハードディスク２４の通電状態の時間を測定し積算して記録することが出来る。
【００４４】
印刷部３に関しては第一実施形態で説明したものと同一である。
【００４５】
以下、図２により本発明における処理の流れについて説明する。
【００４６】
パネル１５３０またはホストＰＣ３０００からのコマンドにより印刷装置１の設定値情報を出力する“Ｓｔａｔｕｓ　Ｐｒｉｎｔ”を印刷すると、そこには画像生成部２２を交換してからこれまでにプリントアウトした枚数“画像コントローラＰａｐｅｒ　Ｃｏｕｎｔ”，印刷装置２１を開梱してからこれまでにプリントアウトした枚数“印刷部コントローラＰａｐｅｒ　Ｃｏｕｎｔ”，現像ドラムカートリッジ８を交換してからこれまでにプリントアウトした枚数“現像ドラムＰａｐｅｒ　Ｃｏｕｎｔ”，ハードディスク２４の動作時間の積算値“ＨＤＤ動作時間”が印刷される。
【００４７】
ユーザまたはサービスマンはそれを見て、規定寿命（交換時期）までの到達時間を予測できる。
【００４８】
また印刷装置に使用されるハードディスクは、印刷装置内の設置スペース条件から多くの場合２．５インチ品が使用される。２．５インチハードディスクはノートパソコンが主要アプリケーションであり、長時間の連続通電を行った場合は製品寿命が短時間になってしまい、一日毎に電源を切り替える使用方法を採用することがメーカーから推奨されている。しかしながら、オフィスのセンターマシンとして使用される印刷装置の場合、ファクシミリ機能を想定すると、２４時間連続通電状態で使用する可能性もある。この場合、省エネモードの設定により、ハードディスクの電源を逐次制御する方法を取れば良いわけであるが、ＨＤＤの通電時間を積算して、臨時印刷表示できれば、ユーザーによりＨＤＤの故障予測が可能となる。
【００４９】
また、印刷装置の設置環境、内部からの規格外のノイズによりプリンタカウンタの値がデータ化けした場合にも、ユーザまたはサービスマンは該誤動作を認識することが出来る。この時、ユーザまたはサービスマンはパネル１５３０またはホストＰＣ３０００からプリントカウンタ書換えコマンド１０３または１０２により、各手段内にあるプリントカウンタ５、７、９の格納データを任意に書き換えて、正常な値に戻すことが出来る。
【００５０】
【発明の効果】
以上説明したように、印刷装置において、印刷装置印刷部制御手段の動作時間保持手段、印刷装置画像生成部制御手段の動作時間保持手段、各種交換部品の動作時間保持手段、各動作時間保持手段の記憶情報を全てテストプリントに印刷可能な読み込み手段、各動作時間保持手段の内容を任意に書換え可能な書換え手段を有することにより、交換部品の動作時間情報の一元管理を可能とし、部品の故障予測、交換時期の見積もりを容易にし、規格寿命に達していないのに動作時間保持手段の誤動作により、使用不能となってしまった交換部品を再度使用可能にすることが出来る、という効果がある。
【図面の簡単な説明】
【図１】第１実施形態の印刷システムのブロック図。
【図２】第２実施形態の印刷システムのブロック図。
【図３】カラーレーザビームプリンタ断面図。
【図４】カラーレーザビームプリンタ光学ユニットブロック図。
【図５】ホストコンピュータブロック図。
【図６】レーザビームプリンタ制御システムブロック図。
【符号の説明】
１、２１　各実施形態のカラーレーザプリンタ
２、２２　各実施形態の画像生成部
３　各実施形態の印刷部
４、２３　画像生成部制御手段
５、７、９　プリントカウンタ
６　印刷部制御手段
８　現像ドラムカートリッジ
２４　ハードディスク
２５　ＨＤＤ動作時間測定手段
１０００　プリンタ制御ユニット
１００１　プリンタＣＰＵ
１００２　プリンタＲＡＭ
１００３　プリンタＲＯＭ
１００４　外部メモリ
１００５　プリンタシステムバス
１００６　印刷部インタフェース
１００７　印刷部
１００８　ホストインタフェース
１００９　プリンタメモリコントローラ
１０１０　画像生成部
１２００　インタフェース信号線
１５００　カラープリンタエンジン
１５０１　パルス幅変調回路
１５０２　レーザドライバ
１５０３　レーザダイオード
１５０４　回転多面鏡
１５０５　結像レンズ
１５０６　感光ドラム
１５０７　ビームディテクタ
１５０８　転写ドラム
１５０９　ローラ帯電器
１５１０　給紙カセット
１５１１　給紙ローラ
１５１２　グリッパ
１５１３　吸着ローラ
１５１４　吸着用帯電器
１５１５　現像装置支持体
１５１６　各色現像装置
１５１７　記録紙先端検出器
１５１８　光学ユニット
１５１９　転写用帯電器
１５２０　分離帯電器
１５２１　分離爪
１５２２　搬送手段
１５２３　定着装置
１５２４　排紙トレイ
１５２５　クリーニング装置
１５２６　転写ドラムクリナー
１５２７　レーザビーム
１５２８　記録紙
１５３０　操作部
１６００　カラープリンタ
２０００　ホストコンピュータ制御ユニットホスト
２００１　ホストＣＰＵ
２００２　ホストＲＡＭ
２００３　ホストＲＯＭ
２００４　ホストシステムバス
２００５　キーボードコントローラ
２００６　ＣＲＴコントローラ
２００７　ホストメモリコントローラ
２００８　プリンタコントローラ
３０００　ホストコンピュータ
３００１　キーボード
３００２　ＣＲＴ
３００３　ホスト外部メモリ
【図１】
2004009435.tif 000003
【図２】
2004009435.tif 000004
【図３】
2004009435.tif 000005
【図４】
2004009435.tif 000006
【図５】
2004009435.tif 000007
【図６】
2004009435.tif 000008